(57)【要約】【課題】メータ等筐体で囲まれた機器において、簡単にかつ正確に点検を可能にすること。【解決手段】筐体１で囲まれた機器及び持ち運びできる電子点検器５に音波発生器または音波検出器３をそれぞれ設け、音波により通信可能としてある。従って機器の筐体１を開閉することなく機器と通信により点検できるので便利であるばかりでなく、ノイズが多い場所でも影響を受けることがない。また、従来電波により通信するため樹脂等で覆われていた筐体１を鉄板に置き換えられるので機器自体も電波ノイズに対して強くすることが可能という効果がある。【選択図】　図２
2004094849.tif 000002
【特許請求の範囲】
【請求項１】
電子回路を有する機器と、この機器の周囲を囲む筐体と、前記電子回路に設けた第一の音波発生器または第一の音波検出器と、前記電子回路と電気的に絶縁された電子点検器と、この電子点検器に設けた第二の音波発生器または第二の音波検出器とを備え、前記電子回路と前記電子点検器とは前記筐体を介して振動音波により情報を交信する電子点検装置。
【請求項２】
第一音波発生器は超音波発生器、第二の音波検出器は超音波検出器とした請求項１記載の電子点検装置。
【請求項３】
筐体と電子点検器の少なくとも一方に磁力装置を備え、交信する時には前記電子点検器と前記筐体とは吸着可能である請求項１または２記載の電子点検装置。
【請求項４】
電子回路はガスメータ、水道メータ又は電力メータであり、電子点検器はこれらメータそれぞれの検針器または設定器である請求項１、２または３記載の電子点検装置。
【請求項５】
電子点検器からの音波により電子回路に電力を供給する請求項１〜４のいずれか１項記載の電子点検装置。
【発明の詳細な説明】
【０００１】
【発明の属する技術分野】
本発明は、特に家庭用メータ等の電子点検装置に関するものである。
【０００２】
【従来の技術】
従来、この種のメータの点検や検針を行う際は、メータに表示されるカウンターの数字等により目視で行われている。また、ガスメータでは本体装置の端子台に検針器や設定器から直接リード線を接続し、電気的に可能なものもある。更に、ＬＥＤや電波により行うものもある。ＬＥＤで行うものは、メータ本体にＬＥＤとフォトトランジスタを備え、設定器にフォトダイオードとフォトトランジスタを備え、各々を光結合させて点検や検針や設定をおこなう。また、電波により行うものは、ガスメータ内に電磁波発生装置や電磁波識別装置を備え、点検装置も同様な装置を備えることにより、無線により通信を行うように構成されている。
【０００３】
そして上記点検器から検針値を要求する電文を送ると、電文が光信号や電磁波に変換され、メータ本体の電子回路で元の電気信号に戻されて要求の応答を行うよう作動する。
【０００４】
【発明が解決しようとする課題】
しかしながら上記従来の点検装置では、下記のような課題があった。直接リード線を接続するものにあっては、接続する毎にメータの端子蓋等の開閉が必要であるので手間がかかった。また、ＬＥＤで行うものにあっては光結合が必要で、外部の光が漏れやすく、その漏れた光により信頼性が悪く、何度もトライが必要で不便であった。無線により行うものは便利ではあったが、本体装置に比べ装置が高価なものとなり、一般的に普及しないという課題があった。
【０００５】
【課題を解決するための手段】
本発明は上記課題を解決するため電子点検器の音波発生装置がメータ内の電子回路の音波検出装置を振動させ、また、反対にメータ内の電子回路の音波発生装置が電子点検器の音波検出装置を振動させて通信を行い、点検や検針や設定を行うようにしたものである。
【０００６】
上記発明によれば音波により通信を行うため、わずらわしい接続作業が不要でかつ信頼性が高く、かつ安価であるため実用的な電子点検器を提供できる。
【０００７】
【発明の実施の形態】
本発明の請求項１に係る機器の電子回路及び電子点検器は、夫々音波発生装置及び音波検出装置を有する。そして、夫々の音波発生装置が相手の音波検出装置を振動させて通信を行うため、リード線なしで通信することができる。
【０００８】
本発明の請求項２にかかる音波発生装置及び音波検出装置は超音波発生装置及び超音波検出装置を有する。そして、超音波発生装置及び超音波検出装置が超音波を送受信し、通信をするため、高速で信頼性高い通信をすることができる。
【０００９】
本発明の請求項３に係る電子回路及び電子点検器は電子点検器または筐体、または双方に磁力装置を有する。そして、磁力が音波発生装置や音波検出装置の装着を容易にするため、通信する時にわずらわしい手間を省くことができる。
【００１０】
本発明の請求項４に係る機器の周囲を筐体で囲まれた電子回路はガスメータ、水道メータ、電力メータであり、電子点検器は各検針器または設定器である。
【００１１】
そして、検針器または設定器の音波発生装置及び音波検出装置がガスメータ、水道メータ、電力メータの音波発生装置及び音波検出装置と通信し、点検や検針や設定をするため、安全にかつ確実にまた容易に点検や検針や設定をすることができる。
【００１２】
本発明の請求項５に係る電子点検器により電子回路へ音波により電力を供給する装置は機器の電子回路を駆動する電力を供給する。
【００１３】
そして、電力を供給する装置が電子回路の電力を供給するため、電子回路は点検毎に充電され継続して機器の情報を読み取ることができる。
【００１４】
【実施例】
以下、本発明の実施例について図面を用いて説明する。
【００１５】
（実施例１）
図１は本発明の実施例１の基本的電子点検装置を示す構成図、図２は具体的電子点検装置のそして実施可能な構成図である。
【００１６】
図１及び図２において、１は機器の筐体、２は機器の電子回路、３は機器の電子回路内に納められた一素子で兼用する音波発生装置及び音波検出装置、４は電子点検器内の音波発生器及び音波検出器（一素子で兼用）、５は電子点検器を示す。
【００１７】
また、図２において、６はガスメータ、７はガス使用量表示器、８はセキュリティ表示ＬＣＤ、９はこれらを制御し、音波発生装置及び音波検出装置を含む電子回路、１０は音波発生装置及び音波検出装置、１１は電子点検器内のに設けられた永久磁石、１２は音波発生器及び音波検出器、１３は電子点検器内の変換アダプタ、１４は電子点検器のハンディターミナルを示す。
【００１８】
次に動作、作用について説明すると、まず、検針時に検針員は音波発生器及び音波検出器１２をガスメータ６の筐体に１１の磁石により吸着させる。続いて電子点検器のハンディターミナル１４により検針要求のボタンを押す。
【００１９】
すると、その要求電文は変換アダプタ１３によりガスメータの業界により定められたプロトコルの電文に変換され、かつ、音波発生器及び音波検出器を駆動する電気信号に変換されて音波発生器及び音波検出器１２により信号音波を発生させる。この信号音波はガスメータ６の筐体を振動させその振動はガスメータの音波発生器及び音波検出器１０を振動させる。ガスメータの電子回路９はこの信号音波を検針要求の電文であることを識別し、電子回路に蓄積されているガス流量値のデータを逆に送信する。このデータはハンディターミナル１４に表示されるとともに、集金等の伝票としてプリントアウトも可能である。また、音波発生器は電圧−歪素子であり、電子点検器から機器の音波検出器に歪を与えることにより機器の電子回路は電圧を得ることができる。図示していないが、このエネルギーを蓄積することにより、電子点検器から機器の電子回路は電力を得ることができる。
【００２０】
なお、前記実施例において機器はガスメータとしたが、水道メータ、電力メータ、あるいは給湯器やエアコン等の機器とすることもできるものである。また、磁力装置としては永久磁石で説明したが、電磁石でも可能である。また、電力を得る手段としては超音波モータとすることも可能である。
【００２１】
【発明の効果】
以上説明したように本発明の請求項１に係る電子点検装置は機器の周囲を筐体で囲まれた電子回路内に音波発生器または音波検出器を設け、該電子回路と電気的に絶縁されている電子点検器内には別の音波発生器または音波検出器を設けたことにより、前記電子回路と前記電子点検器とは音波により情報を通信することができるので、機器の蓋等を開閉することが不要となり利便性が向上するという効果がある。また、音波によるので電波等の通信が困難な筐体が鉄板で覆われている機器でも使用可能である。また、ノイズレベルが高く電界強度の高い所でもそれらに影響されずに通信が可能である。
【００２２】
また、請求項２に係る電子点検装置は音波発生器は超音波発生器を超音波としているので、通信速度が速く信頼性が高いという効果がある。
【００２３】
また、請求項３に係る電子点検器は通信する時に磁力により音波発生器及び音波検出器を筐体に吸着可能としているのでお互いの距離が近くなり、通信精度が高くなり、また、簡単に取り付けられるので利便性が高いという効果がある。
【００２４】
また、請求項４に係る電子点検装置はガスメータ、水道メータ、電力メータと各検針器または設定器としているので、検針の手間が簡単になるとともに検針値を読み間違えることなくかつデータを簡単にコンピュータ処理できるという効果がある。
【００２５】
また、請求項５に係る電子点検装置は電子点検器により電子回路へ音波により電力を供給するので電子回路の電池電源が少なくて済む。
【図面の簡単な説明】
【図１】本発明の実施例１における電子点検装置の構成図
【図２】同電子点検装置を更に具体的に示した構成図
【符号の説明】
１　筐体
２　電子回路
３　音波発生器または音波検出器
４　別の音波発生器または音波検出器
５　電子点検器
１１　磁石
【図１】
2004094849.tif 000003
【図２】
2004094849.tif 000004